(57)【特許請求の範囲】
【請求項１】
基準照射光検出装置を取付ける取付部と、棒状部材に固定する固定部から構成され、該固定部は前記棒状部材の幅に合わせて先端位置の調整が可能なクランプノブと、該クランプノブに対峙して回動可能に設けられたクランプ片とを有し、該クランプ片の回動により前記クランプノブとクランプ片との間に前記棒状部材を挾持可能としたことを特徴とする基準照射光検出装置用ホルダ。
【請求項２】
ホルダ基部が基板部と該基板部より水平方向に延出するガイド部とを有し、前記基板部には基準照射光検出装置が取付けられ、前記ガイド部に水平方向の軸心を有するクランプノブを螺合し、前記基板部の基準照射光検出装置取付け面の反対面にクランプ片を回動自在に設け、該クランプ片が前記クランプノブに向って延びる係止部と該係止部に交差する方向に延びるグリップ部とを有し、クランプ片の回動により前記係止部と前記クランプノブ間に棒状部材を挾持可能としたことを特徴とする基準照射光検出装置用ホルダ。
【請求項３】
前記クランプ片は前記クランプノブに向って突出する係止部と該係止部より直角方向に延びるグリップ部を有する請求項１の基準照射光検出装置用ホルダ。
【請求項４】
前記クランプノブに対峙して上下２個の回転ローラが設けられ、前記クランプ片の係止部先端は上下２個の回転ローラ間に位置し、クランプ片の回動により係止部先端が前記２個の回転ローラより棒状部材に対して突出可能とした請求項２、請求項３の基準照射光検出装置用ホルダ。
【請求項５】
前記クランプ片を付勢手段により棒状部材に対して挾持する方向に付勢した請求項１、請求項２の基準照射光検出装置用ホルダ。
【発明の詳細な説明】
【０００１】
【発明の属する技術分野】
本発明はレーザ測量機により照射されるレーザ光線を受光する基準照射光検出装置をスタッフ、棒等に固定する為の基準照射光検出装置用ホルダに関するものである。
【０００２】
【従来の技術】
回転レーザ装置から回転照射されるレーザ光線により形成される基準面を捉える装置として基準照射光検出装置がある。特に不可視光レーザ光線により基準面が形成される場合は、前記基準照射光検出装置は不可欠である。図４に於いて基準照射光検出装置について略述する。
【０００３】
基準照射光検出装置１はレーザ光線を検出する光検出部２、表示部３、気泡管４、指標部５、操作スイッチ部６、ブザー７等から構成される。
【０００４】
レーザ光線が前記基準照射光検出装置１を横断する様に回転レーザ装置を操作し、前記光検出部２が前記レーザ光線を受光すると受光した位置に応じて表示部３の表示３ａ，３ｂ，３ｃのいずれかが点灯する。例えば、基準位置即ち前記指標部５の位置より高い場合は、前記表示３ａが点滅して作業者に基準照射光検出装置１を下げる様に指示を与える。又、受光した位置が適正位置であると前記表示３ｂが表示され、又ブザー７が鳴る。前記基準照射光検出装置１が適正位置に支持された状態で前記指標部５を利用してマーキングがされる。
【０００５】
前記基準照射光検出装置１は作業者が手に持ち壁等に当てて使用されるか、或は図５に示される様にスタッフ８に固定して使用されている。
【０００６】
回転レーザ装置１０は三脚１１上に設置され、水平方向にレーザ光線を発する。前記基準照射光検出装置１はホルダ１２を介して前記スタッフ８に固定される。スタッフ８に固定された基準照射光検出装置１は、例えば杭打作業に利用される。
【０００７】
杭打作業は杭の上端が一定の高さとなる様に打込まれる。打込んだ杭の上端に前記基準照射光検出装置１が固定されたスタッフ８を略垂直に立設し、レーザ光線を受光する様に前記スタッフ８に沿って前記ホルダ１２を上下し、基準照射光検出装置１の位置を上下に調整する。前記した様に基準照射光検出装置１に対する受光位置を基準位置とした状態で、基準照射光検出装置１の受光位置の高さをスタッフ８から読取る。受光位置の高さが所定高さでない場合は、前記杭の打込み量が不十分であり、更に杭打作業を進める。
【０００８】
前記した様に杭打の打込み高さを確認する作業は、スタッフ８に対してホルダ１２を上下に移動させるが、ホルダ１２を移動させ、更に固定する作業は、ホルダ１２が具備しているクランプノブ１３の緩め、締込みにより行われる。
【０００９】
図６により従来のホルダ１２について説明する。
【００１０】
ホルダ基部１５の平面形状は略Ｓ状であり、該ホルダ基部１５の一方の凹部には基準照射光検出装置１が収納固定され、他方の凹部には前記スタッフ８が上下方向に挿通する。前記クランプノブ１３のクランプ軸部１３ａは螺子となっており、該クランプ軸部１３ａが前記ホルダ基部１５を水平方向に螺通し、先端は前記スタッフ８に当接する様になっている。
【００１１】
基準照射光検出装置１のスタッフ８への固定は前記クランプノブ１３を締込み、クランプ軸部１３ａの先端を前記スタッフ８に押圧する。又、前記基準照射光検出装置１を移動させる場合は前記クランプノブ１３を緩め、前記ホルダ１２をスタッフ８に沿って移動させる。基準照射光検出装置１の位置設定は、受光位置が基準位置となったところで前記クランプノブ１３を締込み、ホルダ１２を介して基準照射光検出装置１をスタッフ８に固定する。
【００１２】
【発明が解決しようとする課題】
前記打込んだ杭は上端が高さ基準となり、杭の上端に水糸を張り水平基準とする。従って、通常は数十本の杭が打込まれる。杭打作業は各一本に対して少なくとも数回は前記基準照射光検出装置１を用いたレーザ光線基準面に対する高さ測定が行われ、その都度前記ホルダ１２のスタッフ８に対する高さ調整が行われる。この為、前記クランプノブ１３の緩め、締込みを頻繁に行わなければならず、而もクランプノブ１３の緩め、締込みは基準照射光検出装置１が落下しない様に基準照射光検出装置１を手で支持しなければならず、スタッフ８を支持する作業者も必要で２人作業となると言う問題があった。更に、基準照射光検出装置１を支持する部材はスタッフ８に限らず、便宜的に単なる角材を使用する場合があるが、この場合角材に対する基準照射光検出装置１の滑りが悪く微妙な位置調整が難しいという問題があった。
【００１３】
本発明は斯かる実情に鑑み、基準照射光検出装置の棒状部材に対する固定解除が簡単に片手作業で行え、而もスタッフに対する移動を円滑にして微妙な位置調整が簡単に行える様にしたものである。
【００１４】
【課題を解決するための手段】
本発明は、基準照射光検出装置を取付ける取付部と、棒状部材に固定する固定部から構成され、該固定部は前記棒状部材の幅に合わせて先端位置の調整が可能なクランプノブと、該クランプノブに対峙して回動可能に設けられたクランプ片とを有し、該クランプ片の回動により前記クランプノブとクランプ片との間に前記棒状部材を挾持可能とした基準照射光検出装置用ホルダに係り、又ホルダ基部が基板部と該基板部より水平方向に延出するガイド部とを有し、前記基板部には基準照射光検出装置が取付けられ、前記ガイド部に水平方向の軸心を有するクランプノブを螺合し、前記基板部の基準照射光検出装置取付け面の反対面にクランプ片を回動自在に設け、該クランプ片が前記クランプノブに向って延びる係止部と該係止部に交差する方向に延びるグリップ部とを有し、クランプ片の回動により前記係止部と前記クランプノブ間に棒状部材を挾持可能とした基準照射光検出装置用ホルダに係り、又前記クランプ片は前記クランプノブに向って突出する係止部と該係止部より直角方向に延びるグリップ部を有する基準照射光検出装置用ホルダに係り、又前記クランプノブに対峙して上下２個の回転ローラが設けられ、前記クランプ片の係止部先端は上下２個の回転ローラ間に位置し、クランプ片の回動により係止部先端が前記２個の回転ローラより棒状部材に対して突出可能とした基準照射光検出装置用ホルダに係り、又前記クランプ片を付勢手段により棒状部材に対して挾持する方向に付勢した基準照射光検出装置用ホルダに係るものである。
【００１５】
前記クランプノブを調整することで挾持する棒状部材の太さに適合させ、更にクランプ片を回動することで前記係止部の先端が回動し、係止部の回動により係止部の先端と前記クランプノブ間の距離が変化する。而して、クランプ片を回動することで基準照射光検出装置用ホルダを棒状部材に簡単にクランプ、クランプ解除することができる。
【００１６】
【発明の実施の形態】
以下、図面を参照しつつ本発明の実施の形態を説明する。尚、図１〜図３中、図６中で示したものと同様のものには同符号を付してある。
【００１７】
ホルダ基部２０は前記基準照射光検出装置１が固着される基板部２１とクランプ板２４を摺動自在に保持するガイド部２２とから構成される。
【００１８】
該ガイド部２２には水平方向に延びるガイド２５が形成され、該ガイド２５に前記クランプ板２４が摺動自在に嵌合している。前記ガイド部２２の反基板部２１端には前記ガイド２５と直交するフランジ部２６が形成され、該フランジ部２６には前記ガイド２５と平行にクランプ軸部１３ａを螺通させる。該クランプ軸部１３ａの先端に前記クランプ板２４が回動自在に枢着されている。
【００１９】
前記基板部２１の正面（回転レーザ装置１０に対峙した面）には基準照射光検出装置１が取付けられ、該基準照射光検出装置１は前記基板部２１の背面から１本の取付け螺子２７により固定される。
【００２０】
前記基板部２１の背面には水平軸心を有する円柱状のローラ２８，２９が回動自在に取付けられ、該ローラ２８，２９は前記クランプ板２４に所要距離離隔して対向して上下に配置され、前記上側のローラ２８は下側のローラ２９に対して若干後退した位置に設けられている。
【００２１】
前記基板部２１の背面にクランプ片３０が回動自在に取付けられる。該クランプ片３０は、前記クランプ板２４に向って水平方向に延出する鋭角三角形状の係止部３１、該係止部３１に直交して下方に延出するグリップ部３２、前記係止部３１と前記グリップ部３２が交差する角部より斜め上方に突出する手掛り部３３を有し、全体の形状としては狐顔状である。前記クランプ片３０は、引張スプリング或は捩りコイルスプリング等の付勢手段（図示せず）により図２中反時計方向（係止部３１をスタッフ８に対して係合する方向）に付勢されている。
【００２２】
前記クランプ片３０のグリップ部３２が垂直に垂下した状態がクランプ状態であり、クランプ状態で前記係止部３１の先端は前記ローラ２８とローラ２９のクランプ板２４側に接する接線より若干突出する様になっており、更に係止部３１の先端はローラ２８寄りに位置する。クランプ状態では前記係止部３１の先端と前記ローラ２９に接する接線が鉛直となる様に設定されていると共にクランプ軸部１３ａの軸心延長線を挟んで係止部３１とローラ２９が上下に位置する様になっている。
【００２３】
而して、基準照射光検出装置用ホルダの主たる構成は、前記ホルダ基部２０の基板部２１、取付け螺子２７等からなる取付け部と、ガイド部２２、クランプノブ１３、クランプ板２４、ローラ２８、ローラ２９、クランプ片３０等からなる固定部に大別される。
【００２４】
前記基準照射光検出装置１の背面にも前記表示部３と同様な表示部３６が設けられ、前記基板部２１には前記表示部３６と干渉しない様、逃げ部３７が形成されている。又、ガイド部２２の正面には円形気泡管３５が設けられている。
【００２５】
前述した様に基準照射光検出装置１には指標部５が設けられているが、前記ガイド部２２には罫描きガイド２３が形成され、該罫描きガイド２３の水平な上面は前記指標部５に上下位置が一致する。
【００２６】
以下、作用を説明する。
【００２７】
先ず、前記クランプ板２４の位置決めを行う。
【００２８】
前記グリップ部３２をクランプ状態、即ち垂直に垂下した状態とし、前記クランプノブ１３を回してクランプ板２４をスタッフ８に押圧する。前記係止部３１、前記ローラ２９と前記クランプ板２４間に前記スタッフ８を挾持し、ホルダ基部２０を介して基準照射光検出装置１をスタッフ８に固定する。この状態では前記ローラ２８は前記スタッフ８より若干離反している。前記クランプノブ１３の締付け力を調整することでスタッフ８に対するクランプ力が決定される。
【００２９】
スタッフ８に対して基準照射光検出装置１を上下に位置調整したい場合は、前記グリップ部３２を図２中時計方向に回動する。前記係止部３１の先端が後退すると、クランプ板２４はある程度の自由度を持たせて取付けてある為、ローラ２９とクランプ板２４の間に間隙が生じ、スタッフ８に対してローラ２８、ローラ２９、クランプ板２４が当接する状態となる。前記した様にローラ２８とスタッフ８との間には間隙が設けられているので、スタッフ８とローラ２８、ローラ２９、クランプ板２４との間には間隙が生じ、スタッフ８に対してホルダ基部２０は自在に動き得る。更に、ローラ２８、ローラ２９が回転自在である為、スタッフ８の表面の滑りが悪い状態でもホルダ基部２０の動きを妨げることはない。又、クランプ片３０はスプリング（図示せず）により図２中反時計方向に付勢されているので、前記クランプ片３０に力を加えない状態では係止部３１がスタッフ８に対して押圧された状態となっており、手で固定しなくとも、完全に固定する手前の、図２の２点鎖線の位置になり、自重による食い込みにより簡易的に固定することが出来、上下に調整するとき移動させやすい。
【００３０】
基準照射光検出装置１の高さを調節し、位置が決定すると前記グリップ部３２を押込み、クランプ片３０を反時計方向に回動してクランプをする。クランプ完了後、スタッフ８を測定したい位置に立設し、前記光検出部２により回転レーザ装置１０からのレーザ光線を受光させる（図５参照）。又、高さ位置は前記罫描きガイド２３の上面により示され、罫描きガイド２３の上面を前記スタッフ８の目盛に合わせる。更に罫描き作業が必要な場合は罫描きガイド２３に沿って罫描き線を描く。又、測定時のスタッフ８の鉛直性については、前記円形気泡管３５を見ながら調整する。
【００３１】
尚、表示部３６は基準照射光検出装置１に照射するレーザ光線の位置を背面側からも観察できるので、クランプ作業を行いながら微妙な位置合せも可能となる。
【００３２】
而して、グリップ部３２の操作で簡単に、クランプ、クランプ解除が行える。又、クランプ、クランプ解除は前記手掛り部３３に指を掛けて行ってもよい。更に、スタッフ８の太さについても、クランプ板２４の可動範囲の中で対応できるので、専用のスタッフ８を必要としない。
【００３３】
【発明の効果】
以上述べた如く本発明によれば、基準照射光検出装置用ホルダのクランプ、クランプ解除を片手作業で簡単に行え、基準照射光検出装置による高さ測定を一人作業とすることができ、更に基準照射光検出装置用ホルダの上下移動を滑らかに行えるので微妙な調整を容易に行える等の優れた効果を発揮する。
【図面の簡単な説明】
【図１】本発明の実施の形態を示す正面図である。
【図２】同前実施の形態の背面図である。
【図３】同前実施の形態の上面図である。
【図４】本発明の実施の対象となる基準照射光検出装置の斜視図である。
【図５】従来例の基準照射光検出装置ホルダの使用状態を示す説明図である。
【図６】従来例の正面図である。
【符号の説明】
１          基準照射光検出装置
１３        クランプノブ
２０        ホルダ基部
２１        基板部
２２        ガイド部
２３        罫描きガイド
２８        ローラ
２９        ローラ
３０        クランプ片
３１        係止部
３５        円形気泡管
【図１】
0003667983.tif 000002
【図２】
0003667983.tif 000003
【図３】
0003667983.tif 000004
【図４】
0003667983.tif 000005
【図５】
0003667983.tif 000006
【図６】
0003667983.tif 000007